(57)【要約】【課題】照明器具などに用いられるＬＥＤ点灯回路において、多数のＬＥＤからの光出力を均一化するとともに、その均一化のための消費電力を抑える。【解決手段】ＤＤコン３５からＬＥＤモジュール３２へ流れる電流を電流検知抵抗Ｒ２によって検知し、比較回路３７で基準電圧源３８からの基準電圧Ｖｒｅｆと比較し、その比較結果に応答して制御回路３６がＤＤコン３５を制御することで、ＬＥＤモジュール３２へ流れる電流を一括して定電流制御する。さらに、ＬＥＤモジュール３２を構成する各ＬＥＤ負荷回路Ｕ１〜Ｕ３には、カレントミラー回路を構成する制御素子Ｑ１〜Ｑ３を直列に設け、ＬＥＤのＯＮ電圧の総和が最も高い回路（Ｕ１）を基準として、対応する制御素子（Ｑ１）をダイオード構造とし、残余の回路（Ｕ２，Ｕ３）の制御素子（Ｑ２，Ｑ３）の通電電流値を連動させることで、各ＬＥＤ負荷回路Ｕ１〜Ｕ３間のバランスを取る。【選択図】図１
2008108564.tif 000002
【特許請求の範囲】
【請求項１】
１または直列複数段のＬＥＤから成るＬＥＤ負荷回路が相互に並列に複数配置されて成るＬＥＤモジュールに対して、直流電源から通電を行うようにしたＬＥＤ点灯回路において、
前記各ＬＥＤ負荷回路に直列に設けられ、カレントミラー回路を構成する制御素子を備え、
前記各ＬＥＤ負荷回路におけるＬＥＤのＯＮ電圧の総和を含めて、ＬＥＤ電流による電圧降下が最も高い回路を基準として、その回路における前記制御素子をダイオード構造とし、当該制御素子の制御端子を介して残余の回路の制御素子の通電電流値を連動させることを特徴とするＬＥＤ点灯回路。
【請求項２】
複数のＬＥＤから成るＬＥＤモジュールに対して、直流電源から通電を行うようにしたＬＥＤ点灯回路において、
前記ＬＥＤモジュールは、相互に並列に接続される複数のＬＥＤから成るＬＥＤ負荷回路が複数段直列に接続されて成るとともに、前記各ＬＥＤには直列にカレントミラー回路を構成する制御素子が設けられて成り、
前記各ＬＥＤ負荷回路において、ＯＮ電圧が最も高いＬＥＤを基準として、そのＬＥＤに対応した前記制御素子をダイオード構造とし、制御端子を介して、ＬＥＤ負荷回路内の残余のＬＥＤの制御素子の通電電流値を連動させることを特徴とするＬＥＤ点灯回路。
【請求項３】
前記直流電源は、ＤＣ−ＤＣコンバータであり、
前記ＬＥＤモジュールを流れる電流を一括して検出する電流検出手段と、
前記電流検出手段からの検出結果を比較するための基準電圧源および比較器と、
前記比較器からの出力に応じて、前記ＬＥＤモジュールへの通電電流値の総和が予め定める値となるように前記直流電源をフィードバック制御する制御手段とを備えて構成されることを特徴とする請求項１または２記載のＬＥＤ点灯回路。
【請求項４】
前記請求項１〜３のいずれか１項に記載のＬＥＤ点灯回路を用いることを特徴とする照明器具。
【発明の詳細な説明】
【技術分野】
【０００１】
本発明は、ＬＥＤの点灯回路およびそれを用いる照明器具に関し、特に複数並列に設けられるＬＥＤの電流を均等にするための手法に関する。
【背景技術】
【０００２】
前記ＬＥＤ（発光ダイオード）を前記照明器具に用いる場合のように、必要な光出力を得るために多数のＬＥＤを用いる場合、また少電流のＬＥＤは効率が高く同じ光出力を得るにもチップを細分化する場合、それらを相互に直列に接続して点灯させるには、過大な電源電圧が必要になる。一方、前記多数のＬＥＤを相互に並列に接続して点灯させると、過大な電流が必要になる。したがって、現実的には用途に応じた適当な直並列構成が採用される。しかしながら、青色ＬＥＤの場合、そのＯＮ電圧Ｖｆは３〜３．５Ｖ程度で、ばらつきが大きく、前記直並列に組合わせると、相互に並列な各直列回路間の分流比に差が生じ易く、すなわち各直列回路間の明るさに差が生じ易いという問題がある。
【０００３】
詳しくは、ＬＥＤの光出力は通電電流値に依存するとされ、この観点からすれば、直列構成の場合は、個々のＬＥＤのＯＮ電圧Ｖｆにばらつきがあったとしても、通電電流値は同じであるので、個々のＬＥＤの光出力ばらつきも小さい。これに対して、並列構成の場合は、直列構成のＬＥＤのオン電圧Ｖｆの和が異なれば、点灯回路（電源回路）の一括出力から各直列回路に流れる電流値は前記ＯＮ電圧Ｖｆの低い回路に集中することになり、直列回路毎に光出力ばらつきは大きくなる。
【０００４】
図６は、典型的な従来技術のＬＥＤ点灯回路１の構成を示すブロック図である。この従来技術は、特許文献１に示されたものである。このＬＥＤ点灯回路１では、ＬＥＤ負荷を多数直列に接続したＬＥＤ負荷回路ｕ１〜ｕ３を３回路並列に接続してＬＥＤモジュール２が構成されている。そのＬＥＤモジュール２には、商用電源３からの電圧Ｖａｃを、ノイズカット用のコンデンサｃ１から整流ブリッジ４にて直流化し、ＤＣ−ＤＣコンバータ５を介して電圧変換した直流電圧ＶＤＣが与えられる。
【０００５】
ＤＣ−ＤＣコンバータ５は、前記整流ブリッジ４の直流出力電圧をスイッチングするスイッチング素子ｑ０と、前記のスイッチングによる励磁エネルギーを蓄積／放出するチョークコイルｌと、前記チョークコイルｌからの出力電流を整流・平滑化するダイオードｄおよび平滑コンデンサｃ２と、前記スイッチング素子ｑ０を流れる電流を電圧に変換して検知するための抵抗ｒ１と、前記スイッチング素子ｑ０のスイッチングを制御する制御回路６とを備えて構成される昇圧チョッパー回路から成る。
【０００６】
一方、各ＬＥＤ負荷回路ｕ１〜ｕ３には、それらを流れる通電電流値を相互に等しくするための定電流回路ｑ１〜ｑ３が各々直列に挿入されている。そして、前記定電流回路ｑ１〜ｑ３の印加電圧（負担電圧）は、比較回路７において、基準電圧源８からの基準電圧Ｖｒｅｆと比較され、比較結果が前記制御回路６に与えられており、制御回路６は、前記各定電流回路ｑ１〜ｑ３の印加電圧が直列ＬＥＤのＯＮ電圧Ｖｆの総和よりも小さくなるように上記ＤＣ−ＤＣコンバータ５の定電圧出力を制御する。これによって、各定電流回路ｑ１〜ｑ３での損失抑制が図られている。しかしながら、この従来技術では、前記ＬＥＤのＯＮ電圧Ｖｆのばらつきが大きい程、全体の光出力レベルが変動し、定電流回路ｑ１〜ｑ３での損失も大きいなどの課題を有する。
【０００７】
図７は、他の従来技術のＬＥＤ点灯回路１１の構成を示すブロック図である。この従来技術は、特許文献２に示されたものである。このＬＥＤ点灯回路１１では、各ＬＥＤ負荷回路ｕ１〜ｕ３への総通電電流値を抵抗ｒ２で電圧変換して検出し、比較器１７において、その電圧を基準電圧Ｖｒｅｆと比較した結果が一定値になるように、ＰＷＭ制御回路１６を介してＤＣ−ＤＣコンバータ１５を制御するように構成されている。ＤＣ−ＤＣコンバータ１５は、直流電源１３からの電圧Ｖｄｃをスイッチング素子ｑ０によってスイッチングしてトランスｔの１次側に与え、２次側出力を整流平滑回路１４にて整流・平滑化した直流電圧ＶＤＣを前記各ＬＥＤ負荷回路ｕ１〜ｕ３へ与えることで、電源側と負荷側とを絶縁する１石フライバックコンバータで構成されている。そして、このＬＥＤ点灯回路１１でも、各ＬＥＤ負荷回路ｕ１〜ｕ３に定電流回路ｄ１〜ｄ３がそれぞれ直列に設けられている。
【０００８】
図８は、前記定電流回路ｄ１〜ｄ３の具体例を示す電気回路図である。この定電流回路ｄ１〜ｄ３は、前記ＬＥＤ負荷回路ｕ１〜ｕ３に直列に接続されるトランジスタｑ１１および抵抗ｒ１１と、前記トランジスタｑ１１のコレクタ−ベース間を接続する抵抗ｒ１２と、前記トランジスタｑ１１のベース−エミッタ間に介在されるツェナダイオードｄｚとを備えて構成される。そして、抵抗ｒ１１の電圧降下とトランジスタｑ１１のベース−エミッタ間電圧Ｖｂｅとの和がツェナダイオードｄｚのツェナ電圧と略一致する条件で、トランジスタｑ１１のコレクタ電流が定電流化される。
【０００９】
これによって、各ＬＥＤ負荷回路ｕ１〜ｕ３の電流は個々に定電流化され、しかもＤＣ−ＤＣコンバータ１５の一括出力電流も上述のように定電流制御されるので、ＬＥＤのＯＮ電圧Ｖｆのばらつきによる光出力のばらつきはかなり抑制できる。しかしながら、ＦＥＴのソースホロワ回路から成る簡単な前記定電流回路ｑ１〜ｑ３に比べて、この定電流回路ｄ１〜ｄ３は、損失が大きいという問題がある。
【００１０】
そこで、本件発明者は、図９で示すようなＬＥＤ点灯回路２１を、特許文献３で提案した。その従来技術によれば、各ＬＥＤ負荷回路ｕ１，ｕ２と直列にトランジスタｑ２１，ｑ２２および抵抗ｒ２１，ｒ２２をそれぞれ接続するとともに、前記トランジスタｑ２１，ｑ２２とカレントミラー回路を構成するトランジスタｑ２０を抵抗ｒ２３，ｒ２４，ｒ２０によって直流電源２３の端子間に接続している。そして、直流電源２３からの電圧ＶＤＣおよび抵抗ｒ２３，ｒ２４，ｒ２０などによって定まる基準電流がトランジスタｑ２０に流れ、その基準電流にトランジスタｑ２１，ｑ２２を流れる電流をバランスさせることで、光出力のばらつきを抑制するようになっている。なお、何れかの抵抗（この例ではｒ２４）と並列に設けたバイパススイッチｓｗによって該抵抗ｒ２４を短絡することで、前記基準電流を増加させ、光出力を増加させられるようにもなっている。
【特許文献１】特開２００２−８４０９号公報
【特許文献２】特開２００４−３１９５８３号公報
【特許文献３】特開２００４−３９２９０号公報
【発明の開示】
【発明が解決しようとする課題】
【００１１】
上述のようなミラー回路による方法は、各ＬＥＤ負荷回路ｕ１，ｕ２間の電流のバランスを取るのに都合が良いものの、電源電圧ＶＤＣの変動によって基準電流が変動し、また前記基準電流を作成する抵抗ｒ２３，ｒ２４，ｒ２０およびトランジスタｑ２０での損失が発生するという問題もある。
【００１２】
本発明の目的は、多数のＬＥＤの光出力を、低損失で均一化することができるＬＥＤ点灯回路およびそれを用いる照明器具を提供することである。
【課題を解決するための手段】
【００１３】
本発明のＬＥＤ点灯回路は、１または直列複数段のＬＥＤから成るＬＥＤ負荷回路が相互に並列に複数配置されて成るＬＥＤモジュールに対して、直流電源から通電を行うようにしたＬＥＤ点灯回路において、前記各ＬＥＤ負荷回路に直列に設けられ、カレントミラー回路を構成する制御素子を備え、前記各ＬＥＤ負荷回路におけるＬＥＤのＯＮ電圧の総和を含めて、ＬＥＤ電流による電圧降下が最も高い回路を基準として、その回路における前記制御素子をダイオード構造とし、当該制御素子の制御端子を介して残余の回路の制御素子の通電電流値を連動させることを特徴とする。
【００１４】
上記の構成によれば、照明器具などに用いられるＬＥＤ点灯回路において、１または直列複数段のＬＥＤから成るＬＥＤ負荷回路が相互に並列に複数配置されて成るＬＥＤモジュールに対して、直流電源から通電を行うにあたって、前記各ＬＥＤ負荷回路に直列に、カレントミラー回路を構成する制御素子を設け、それらの制御素子において、前記各ＬＥＤ負荷回路におけるＬＥＤのＯＮ電圧Ｖｆの総和を含めて、ＬＥＤ電流による電圧降下が最も高い回路を基準として、その回路における前記制御素子をダイオード構造とし、制御端子を介して残余の回路の制御素子の通電電流値を連動させることで、各ＬＥＤ負荷回路間のバランスを取るようにする。具体的には、前記制御素子がトランジスタである場合には、制御端子であるベースと、コレクタとを短絡するとともに、ベースを共通に接続する。また、前記制御素子がＭＯＳ型トランジスタである場合には、制御端子であるゲートと、ドレインとを短絡するとともに、ゲートを共通に接続する。
【００１５】
したがって、各ＬＥＤ負荷回路間の電流バランスはカレントミラー回路によって均等に制御されるので、多数のＬＥＤからの光出力を、均一化することができる。また、前記カレントミラー回路の基準電流を作成する回路には、ＯＮ電圧Ｖｆの総和が最も高いＬＥＤ負荷回路を用いているので、基準電流のみを作成する回路が不要で、その分の回路損失を無くすことができる。
【００１６】
また、本発明のＬＥＤ点灯回路は、複数のＬＥＤから成るＬＥＤモジュールに対して、直流電源から通電を行うようにしたＬＥＤ点灯回路において、前記ＬＥＤモジュールは、相互に並列に接続される複数のＬＥＤから成るＬＥＤ負荷回路が複数段直列に接続されて成るとともに、前記各ＬＥＤには直列にカレントミラー回路を構成する制御素子が設けられて成り、前記各ＬＥＤ負荷回路において、ＯＮ電圧が最も高いＬＥＤを基準として、そのＬＥＤに対応した前記制御素子をダイオード構造とし、制御端子を介して、ＬＥＤ負荷回路内の残余のＬＥＤの制御素子の通電電流値を連動させることを特徴とする。
【００１７】
上記の構成によれば、照明器具などに用いられるＬＥＤ点灯回路において、複数のＬＥＤから成るＬＥＤモジュールに対して、直流電源から通電を行うにあたって、前記ＬＥＤモジュールが、相互に並列に接続される複数のＬＥＤから成るＬＥＤ負荷回路が複数段直列に接続されて成る場合に、前記各ＬＥＤには直列にカレントミラー回路を構成する制御素子を設け、その制御素子において、前記各ＬＥＤ負荷回路におけるＬＥＤの内でＯＮ電圧Ｖｆが最も高いＬＥＤを基準として、そのＬＥＤに対応した前記制御素子をダイオード構造とし、制御端子を介して同じＬＥＤ負荷回路内の残余のＬＥＤの制御素子の通電電流値を連動させることで、各ＬＥＤ負荷回路内でのＬＥＤ間のバランスを取るようにする。具体的には、前記制御素子がトランジスタである場合には、制御端子であるベースと、コレクタとを短絡するとともに、ベースを共通に接続する。また、前記制御素子がＭＯＳ型トランジスタである場合には、制御端子であるゲートと、ドレインとを短絡するとともに、ゲートを共通に接続する。各ＬＥＤ負荷回路は、直列に接続されるので、流れる電流は同一である。
【００１８】
したがって、各ＬＥＤ負荷回路内での電流バランスはカレントミラー回路によって均等に制御されるので、多数のＬＥＤからの光出力を、均一化することができる。また、前記カレントミラー回路の基準電流を作成する回路には、ＯＮ電圧Ｖｆの総和が最も高いＬＥＤ負荷回路を用いているので、基準電流のみを作成する回路が不要で、その分の回路損失を無くすことができる。
【００１９】
さらにまた、本発明のＬＥＤ点灯回路では、前記直流電源は、ＤＣ−ＤＣコンバータであり、前記ＬＥＤモジュールを流れる電流を一括して検出する電流検出手段と、前記電流検出手段からの検出結果を比較するための基準電圧源および比較器と、前記比較器からの出力に応じて、前記ＬＥＤモジュールへの通電電流値の総和が予め定める値となるように前記直流電源をフィードバック制御する制御手段とを備えて構成されることを特徴とする。
【００２０】
上記の構成によれば、直流電源から前記各ＬＥＤ負荷回路への通電電流値の総和を検出し、その検出結果に基づいて、前記通電電流値の総和が予め定める値となるように、フィードバックによって前記直流電源を一括定電流制御するので、定電圧制御に比べて、制御素子での損失が小さく、低損失化することができる。
【００２１】
また、本発明の照明器具は、前記のＬＥＤ点灯回路を用いることを特徴とする。
【００２２】
上記の構成によれば、多数のＬＥＤからの光出力を均一化することができるとともに、低損失な照明器具を実現することができる。
【発明の効果】
【００２３】
本発明のＬＥＤ点灯回路は、以上のように、照明器具などに用いられるＬＥＤ点灯回路において、１または直列複数段のＬＥＤから成るＬＥＤ負荷回路が相互に並列に複数配置されて成るＬＥＤモジュールに対して、直流電源から通電を行うにあたって、前記各ＬＥＤ負荷回路に直列に、カレントミラー回路を構成する制御素子を設け、その制御素子において、前記各ＬＥＤ負荷回路におけるＬＥＤのＯＮ電圧Ｖｆの総和を含めて、ＬＥＤ電流による電圧降下が最も高い回路を基準として、その回路における前記制御素子をダイオード構造とし、制御端子を介して残余の回路の制御素子の通電電流値を連動させることで、各ＬＥＤ負荷回路間のバランスを取るようにする。
【００２４】
それゆえ、各ＬＥＤ負荷回路間の電流バランスはカレントミラー回路によって均等に制御されるので、多数のＬＥＤからの光出力を、均一化することができる。また、前記カレントミラー回路の基準電流を作成する回路には、ＯＮ電圧Ｖｆの総和が最も高いＬＥＤ負荷回路を用いているので、基準電流のみを作成する回路が不要で、その分の回路損失を無くすことができる。
【００２５】
また、本発明のＬＥＤ点灯回路は、以上のように、照明器具などに用いられるＬＥＤ点灯回路において、複数のＬＥＤから成るＬＥＤモジュールに対して、直流電源から通電を行うにあたって、前記ＬＥＤモジュールが、相互に並列に接続される複数のＬＥＤから成るＬＥＤ負荷回路が複数段直列に接続されて成る場合に、前記各ＬＥＤには直列にカレントミラー回路を構成する制御素子を設け、その制御素子において、前記各ＬＥＤ負荷回路におけるＬＥＤの内でＯＮ電圧Ｖｆが最も高いＬＥＤを基準として、そのＬＥＤに対応した前記制御素子をダイオード構造とし、制御端子を介して同じＬＥＤ負荷回路内の残余のＬＥＤの制御素子の通電電流値を連動させることで、各ＬＥＤ負荷回路内でのＬＥＤ間のバランスを取るようにする。
【００２６】
それゆえ、各ＬＥＤ負荷回路内での電流バランスはカレントミラー回路によって均等に制御されるので、多数のＬＥＤからの光出力を、均一化することができる。また、前記カレントミラー回路の基準電流を作成する回路には、ＯＮ電圧Ｖｆの総和が最も高いＬＥＤ負荷回路を用いているので、基準電流のみを作成する回路が不要で、その分の回路損失を無くすことができる。
【００２７】
さらにまた、本発明のＬＥＤ点灯回路は、以上のように、直流電源から前記各ＬＥＤ負荷回路への通電電流値の総和を検出し、その検出結果に基づいて、前記通電電流値の総和が予め定める値となるように、フィードバックによって前記直流電源を一括定電流制御する。
【００２８】
それゆえ、定電圧制御に比べて、制御素子での損失が小さく、低損失化することができる。
【００２９】
また、本発明の照明器具は、以上のように、前記のＬＥＤ点灯回路を用いる。
【００３０】
それゆえ、多数のＬＥＤからの光出力を均一化することができるとともに、低損失な照明器具を実現することができる。
【発明を実施するための最良の形態】
【００３１】
［実施の形態１］
図１は、本発明の実施の一形態に係るＬＥＤ点灯回路３１の構成を示すブロック図である。このＬＥＤ点灯回路１では、ＬＥＤＤ１を多数直列に接続したＬＥＤ負荷回路Ｕ１〜Ｕ３を３回路並列に接続してＬＥＤモジュール３２が構成されている。各ＬＥＤ負荷回路Ｕ１〜Ｕ３における直列ＬＥＤ負荷の段数は任意であり、単一のＬＥＤから構成されていてもよい。
【００３２】
各ＬＥＤ負荷回路Ｕ１〜Ｕ３は、ＬＥＤＤ１が共通の放熱板に搭載されてボンディングされ、波長変換用の蛍光体や光拡散用のレンズ等も取付けられて構成されている。このＬＥＤモジュール３２およびＬＥＤ点灯回路３１は、照明器具として用いられ、前記ＬＥＤ負荷としては青または紫外光を放出し、そのＬＥＤ負荷からの光を前記蛍光体で波長変換して白色光として放射する。前記ＬＥＤ負荷回路Ｕ１〜Ｕ３の並列回路数も任意であり、たとえばＲＧＢの３原色で発光させた光を合成するなどの白色光を得るための手法も任意である。
【００３３】
前記ＬＥＤモジュール３２には、商用電源３３からの電圧Ｖａｃを、ノイズカット用のコンデンサＣ１から整流ブリッジ３４にて直流化し、ＤＣ−ＤＣコンバータ３５を介して電圧変換した直流電圧ＶＤＣが与えられる。ＤＣ−ＤＣコンバータ３５は、前記整流ブリッジ３４の直流出力電圧をスイッチングするスイッチング素子Ｑ０と、前記のスイッチングによる励磁エネルギーを蓄積／放出するチョークコイルＬと、前記チョークコイルＬからの出力電流を整流・平滑化するダイオードＤおよび平滑コンデンサＣ２と、前記スイッチング素子Ｑ０を流れる電流を電圧に変換して検知するための抵抗Ｒ１と、前記スイッチング素子Ｑ０のスイッチングを制御する制御回路３６とを備えて構成される昇圧チョッパー回路から成る。
【００３４】
そして直流電源であるそのＤＣ−ＤＣコンバータ３５からＬＥＤモジュール３２へ流れる電流は、電流検知抵抗Ｒ２によって電圧値に変換されて、比較回路３７において、基準電圧源３８からの基準電圧Ｖｒｅｆと比較され、その比較結果が前記制御回路３６にフィードバックされる。制御回路３６は、前記抵抗Ｒ１，Ｒ２の検知結果に応答して、前記スイッチング素子Ｑ０のスイッチング周波数やデューティを制御する。こうして、前記電圧ＶＤＣの定電圧制御およびＬＥＤモジュール３２へ流れる電流の定電流制御が行われるようになっている。
【００３５】
注目すべきは、本実施の形態では、各ＬＥＤ負荷回路Ｕ１〜Ｕ３には、それらを流れる通電電流値を相互に等しくするために、カレントミラー回路を構成する制御素子Ｑ１〜Ｑ３が直列に設けられており、それらの制御素子Ｑ１〜Ｑ３の内で、対応するＬＥＤ負荷回路Ｕ１〜Ｕ３におけるＬＥＤのＯＮ電圧Ｖｆの総和を含めて、ＬＥＤ電流による電圧降下が最も高い回路（図１の例ではＵ１）を基準として、その回路における前記制御素子（図１の例ではＱ１）をダイオード構造とし、制御端子を介して残余の回路（図１の例ではＵ２，Ｕ３）の制御素子（図１の例ではＱ２，Ｑ３）の通電電流値を連動させることで、各ＬＥＤ負荷回路Ｕ１〜Ｕ３間のバランスを取ることである。
【００３６】
具体的には、前記制御素子がこの図１のようにトランジスタである場合には、制御端子であるベースと、コレクタとを短絡するとともに、ベースを共通に接続する。また、前記制御素子がＭＯＳ型トランジスタである場合には、制御端子であるゲートと、ドレインとを短絡するとともに、ゲートを共通に接続する。
【００３７】
したがって、前記抵抗Ｒ２の検知結果による一括定電流制御によってＤＣ−ＤＣコンバータ３５から各ＬＥＤ負荷回路Ｕ１〜Ｕ３への通電電流値の総和が一定となるように制御されるとともに、各ＬＥＤ負荷回路Ｕ１〜Ｕ３間の電流バランスはカレントミラー回路によって均等に制御されるので、多数のＬＥＤＤ１からの光出力を、均一化することができる。また、前記カレントミラー回路の基準電流を作成する回路（図１の例ではＱ１）には、ＯＮ電圧Ｖｆの総和を含めて、ＬＥＤ電流による電圧降下が最も高いＬＥＤ負荷回路（図１の例ではＵ１）を用いているので、基準電流のみを作成する回路が不要で、その分の回路損失を無くすことができる。さらにまた、トランジスタなどの制御素子Ｑ１〜Ｑ３の１つをダイオード構造とするとともに、ミラー回路に構成するだけであるので、安価な構成で実現することができる。
【００３８】
たとえば、ＬＥＤ負荷回路の数を前記Ｕ１〜Ｕ３の３つとし、その各ＬＥＤ負荷回路Ｕ１〜Ｕ３を５段のＬＥＤＤ１で構成し、前記ＯＮ電圧Ｖｆのばらつきを±５％とするとき、前記抵抗Ｒ２の検知結果による一括定電流制御のみの場合、すなわち制御素子Ｑ１〜Ｑ３が設けられていない場合には、各ＬＥＤ負荷回路Ｕ１〜Ｕ３間の電流ばらつきは、１７．５〜２２．７ｍＡ（前記一括定電流制御の電流値は６０ｍＡ）となるのに対して、前記制御素子Ｑ１〜Ｑ３を設け、前記のようにＯＮ電圧Ｖｆの総和が最も高いＬＥＤ負荷回路Ｕ１に対応した制御素子Ｑ１を基準として他の制御素子Ｑ２，Ｑ３にミラー動作を行わせることで、電流ばらつきは、２０．０〜２０．１ｍＡに抑えることができる。同様に、前記ＯＮ電圧Ｖｆのばらつきを±１０％とした場合には、一括定電流制御のみで１５．２〜２５．８ｍＡ、ミラー動作を行わせることで、２０．０〜２０．１ｍＡとすることができる。
【００３９】
図２〜図４は、前記直流電源が他の態様のＬＥＤ点灯回路４１，５１，６１の構成を示すブロック図である。これらの図２〜図４の構成において、前述の図１で示す構成に類似し、対応する部分には同一の参照符号を付して示し、その説明を省略する。これらの図２〜図４の構成において、ＬＥＤ負荷回路Ｕ１〜Ｕ３から成るＬＥＤモジュール３２の構成は同一である。ただし、図１〜図３では、各ＬＥＤ負荷回路Ｕ１〜Ｕ３に直列に接続される制御素子Ｑ１〜Ｑ３がＮ型のトランジスタであるのに対して、図４の制御素子Ｑ１’〜Ｑ３’は、Ｐ型のトランジスタである。しかしながら、この図４の例でも、各ＬＥＤ負荷回路Ｕ１〜Ｕ３の内、ＬＥＤのＯＮ電圧Ｖｆの総和が最も高い回路をＵ１として、それに対応した制御素子Ｑ１’がダイオード構造となっており、制御素子Ｑ２’，Ｑ３’を介して、残余の回路Ｕ２，Ｕ３の通電電流値を連動させている。
【００４０】
そして、図２で示すＬＥＤ点灯回路４１では、各ＬＥＤ負荷回路Ｕ１〜Ｕ３への総通電電流値を抵抗Ｒ２で電圧変換して検出し、比較器４７において、その電圧を基準電圧Ｖｒｅｆと比較した結果が一定値になるように、ＰＷＭ制御回路４６を介してＤＣ−ＤＣコンバータ４５を制御するように構成されている。ＤＣ−ＤＣコンバータ４５は、直流電源４３からの電圧Ｖｄｃをスイッチング素子Ｑ０によってスイッチングしてトランスＴの１次側に与え、２次側出力を整流平滑回路４４にて整流・平滑化した直流電圧ＶＤＣを前記各ＬＥＤ負荷回路Ｕ１〜Ｕ３へ与えることで、電源側と負荷側とを絶縁する１石フライバックコンバータで構成されている。このＬＥＤ点灯回路４１は、前述の図７で示すＬＥＤ点灯回路１１に類似している。
【００４１】
図３および図４で示すＬＥＤ点灯回路５１，６１では、直流電源４３からの電圧ＶｄｃをＤＣ−ＤＣコンバータ５５によって昇圧または降圧し、全波または半波の整流器５６によって整流し、平滑コンデンサＣ３によって平滑化した前記直流電圧ＶＤＣを前記ＬＥＤモジュール３２に与える。そして、各ＬＥＤ負荷回路Ｕ１〜Ｕ３への総通電電流値を前記抵抗Ｒ２で電圧変換して検出し、前記比較器３７において、その電圧を前記基準電圧源３８からの基準電圧Ｖｒｅｆと比較した結果が一定値になるように、前記ＰＷＭ制御回路４６がＤＣ−ＤＣコンバータ５５を制御している。
【００４２】
ここで、本実施の形態によるカレントミラー回路を用いて、直流電源であるＤＣ−ＤＣコンバータ３５が、上述のような抵抗Ｒ２の検知結果による定電流制御のみを行った場合と、前記図７で示すような電圧ＶＤＣの定電圧制御のみを行った場合とにおける前記制御素子Ｑ１〜Ｑ３による損失について、図１０に詳しく示す。また、図１０には、前述の図７および図８で示す定電流回路ｄ１〜ｄ３を用いた場合において、定電流制御を行った場合と、定電圧制御を行った場合とにおける損失についても詳しく示す。試算の条件は、各ＬＥＤ負荷回路Ｕ１〜Ｕ３を流れる電流、すなわちＬＥＤＤ１の定格電流を２０ｍＡ、ＬＥＤＤ１のＯＮ電圧Ｖｆを３．２Ｖ、そのばらつきを±１０％、制御素子（トランジスタ）Ｑ１〜Ｑ３のｈｆｅを１００とする。
【００４３】
図１０から明らかなように、本実施の形態のカレントミラー回路による電流バランス制御では、ＯＮ電圧Ｖｆのばらつきが無い方が損失が小さいものの、ＯＮ電圧Ｖｆのばらつきの有無に拘わらず、定電流制御の方が、定電圧制御に比べて、損失が小さいことが理解される。これに対して、前述の図７および図８で示す定電流回路ｄ１〜ｄ３を用いた電流バランス制御でも、ＯＮ電圧Ｖｆのばらつきの有無に拘わらず、定電流制御の方が、定電圧制御に比べて、損失が小さいけれど、定電流制御では、総電流量が制限されているので、ＯＮ電圧Ｖｆのばらつきが有っても無くても、損失が同じであることが理解される。したがって、本実施の形態のカレントミラー回路による電流バランス制御に対しては、定電流制御が好ましく、何れの条件でも、定電流回路ｄ１〜ｄ３を用いる場合に比べて、電流バランスを確保するにあたっての損失を大幅に削減できることが理解される。
【００４４】
上述の説明では、制御素子（トランジスタ）Ｑ１〜Ｑ３のエミッタ面積比、すなわち各ＬＥＤ負荷回路Ｕ１〜Ｕ３におけるＬＥＤＤ１の定格電流は、各相互に等しかったけれども、相互に異なるように構成されてもよく、その場合、制御素子Ｑ１〜Ｑ３は、その異なる設定電流比を維持するように制御を行う。また、本発明におけるＬＥＤＤ１には、有機ＥＬ（オーガニックＬＥＤ）も適用可能である。
【００４５】
［実施の形態２］
図５は、本発明の実施の他の形態に係るＬＥＤ点灯回路７１の構成を示すブロック図である。このＬＥＤ点灯回路７１において、前述のＬＥＤ点灯回路３１に類似し、対応する部分には同一の参照符号を付して示し、その説明を省略する。注目すべきは、このＬＥＤ点灯回路７１では、ＬＥＤモジュール７２が、複数ｎ段直列に接続されたＬＥＤ負荷回路Ｕ１’，Ｕ２’，・・・，Ｕｎ’から成り、各ＬＥＤ負荷回路Ｕ１’，Ｕ２’，・・・，Ｕｎ’は、相互に並列に配置される複数のＬＥＤＤ１１，Ｄ１２，・・・，Ｄ１ｍ；Ｄ２１，Ｄ２２，・・・，Ｄ２ｍ；・・・；Ｄｎ１，Ｄｎ２，・・・，Ｄｎｍおよびそれに直列に接続され、カレントミラー回路を構成する制御素子Ｑ１１，Ｑ１２，・・・，Ｑ１ｍ；Ｑ２１，Ｑ２２，・・・，Ｑ２ｍ；・・・；Ｑｎ１，Ｑｎ２，・・・，Ｑｎｍを備えて構成されることである。
【００４６】
そして、各ＬＥＤ負荷回路Ｕ１’〜Ｕｎ’において、前記ＯＮ電圧Ｖｆが最も高いＬＥＤ（図５ではＤ１１，Ｄ２ｍ，・・・，Ｄｎ２）を基準として、そのＬＥＤＤ１１，Ｄ２ｍ，・・・，Ｄｎ２に対応した前記制御素子（図５ではＱ１１，Ｑ２ｍ，・・・，Ｑｎ２）をダイオード構造とし、制御端子を介して、同じＬＥＤ負荷回路Ｕ１’〜Ｕｎ’内で、残余のＬＥＤＤ１２，・・・，Ｄ１ｍ；Ｄ２１，・・・，Ｄ２ｍ−１；・・・；Ｄｎ１，Ｄｎ３，・・・，Ｄｎｍの制御素子の通電電流値を連動させている。
【００４７】
このように構成してもまた、多数のＬＥＤＤ１１〜Ｄｎｍからの光出力を、均一化することができる。また、前記カレントミラー回路の基準電流を作成する回路（図５の例ではＱ１１，Ｑ２ｍ，・・・，Ｑｎ２）には、ＯＮ電圧Ｖｆが最も高いＬＥＤ（図５の例ではＤ１１，Ｄ２ｍ，・・・，Ｄｎ２）を用いているので、基準電流のみを作成する回路が不要で、その分の回路損失を無くすことができる。
【図面の簡単な説明】
【００４８】
【図１】本発明の実施の一形態に係るＬＥＤ点灯回路の構成を示すブロック図である。
【図２】本発明の実施の一形態に係るＬＥＤ点灯回路における直流電源が他の態様の構成を示すブロック図である。
【図３】本発明の実施の一形態に係るＬＥＤ点灯回路における直流電源がさらに他の態様の構成を示すブロック図である。
【図４】本発明の実施の一形態に係るＬＥＤ点灯回路における直流電源が他の態様の構成を示すブロック図である。
【図５】本発明の実施の他の形態に係るＬＥＤ点灯回路の構成を示すブロック図である。
【図６】典型的な従来技術のＬＥＤ点灯回路の構成を示すブロック図である。
【図７】他の従来技術のＬＥＤ点灯回路の構成を示すブロック図である。
【図８】図７で示すＬＥＤ点灯回路における定電流回路の具体例を示す電気回路図である。
【図９】さらに他の従来技術のＬＥＤ点灯回路の構成を示すブロック図である。
【図１０】図１で示す本発明の一実施形態と図７および図８で示す従来技術とで、並列のＬＥＤ負荷回路へ供給する電流のバランス制御に要する損失計算の結果を示す図である。
【符号の説明】
【００４９】
３１，４１，５１，６１，７１    ＬＥＤ点灯回路
３２    ＬＥＤモジュール
３３    商用電源
３４    整流ブリッジ
３５，４５，５５    ＤＣ−ＤＣコンバータ
３６    制御回路
３７    比較回路
３８    基準電圧源
４３    直流電源
４６    ＰＷＭ制御回路
４７    比較器
５６    整流器
Ｃ２，Ｃ３    平滑コンデンサ
Ｄ    ダイオード
Ｄ１；Ｄ１１〜Ｄｎｍ    ＬＥＤ
Ｌ    チョークコイル
Ｑ０    スイッチング素子
Ｑ１〜Ｑ３；Ｑ１’〜Ｑ３’；Ｑ１１〜Ｑｎｍ    制御素子
Ｒ１，Ｒ２    抵抗
Ｕ１〜Ｕ３；Ｕ１’〜Ｕｎ’    ＬＥＤ負荷回路
【図１】
2008108564.tif 000003
【図２】
2008108564.tif 000004
【図３】
2008108564.tif 000005
【図４】
2008108564.tif 000006
【図５】
2008108564.tif 000007
【図６】
2008108564.tif 000008
【図７】
2008108564.tif 000009
【図８】
2008108564.tif 000010
【図９】
2008108564.tif 000011
【図１０】
2008108564.tif 000012